【手続補正書】
【提出日】平成17年3月25日(2005.3.25)
【手続補正１】
【補正対象書類名】特許請求の範囲
【補正対象項目名】全文
【補正方法】変更
【補正の内容】
【特許請求の範囲】
【請求項１】
ａ）硫酸セシウム含有溶液を石灰と反応させて、１）少なくとも水酸化セシウムを含んで成る溶液、及び、２）硫酸カルシウムを含んで成る残留物を形成させること、
ｂ）該溶液から該残留物を除去すること、並びに、
ｃ）前記溶液中の水酸化セシウムを、少なくとも１種類のセシウム塩に転化させること
を含んで成る、セシウム塩の製造法。
【請求項２】
工程ｃ）ごとに結果として得られる該溶液を用いて、工程ａ）〜工程ｃ）を１回又は複数回繰り返すことをさらに含んで成る、請求項１に記載の方法。
【請求項３】
工程ｃ）で結果として得られる前記溶液中に、硫酸セシウムが実質的に存在しなくなるまで、工程ａ）〜工程ｃ）を繰り返すことをさらに含んで成る、請求項１に記載の方法。
【請求項４】
前記転化工程が、前記溶液に少なくとも１つの酸を添加することを含んで成る、請求項１に記載の方法。
【請求項５】
前記酸がギ酸である、請求項４に記載の方法。
【請求項６】
前記酸が、酢酸、クエン酸、塩酸、臭化水素酸、ヨウ化水素酸、硝酸、酪酸、プロピオン酸、シュウ酸、及び、サリチル酸から選択される、請求項４に記載の方法。
【請求項７】
前記酸が、実質的にすべての水酸化セシウムをセシウム塩に転化するのに十分な量で存在する、請求項４に記載の方法。
【請求項８】
使用される酸の量が前記溶液を中和するのに十分である、請求項４に記載の方法。
【請求項９】
前記硫酸セシウム含有溶液が０℃〜１００℃の温度である、請求項１に記載の方法。
【請求項１０】
前記硫酸セシウム含有溶液が０℃〜５０℃の温度である、請求項１に記載の方法。
【請求項１１】
前記硫酸セシウム含有溶液が０℃〜３０℃の温度である、請求項１に記載の方法。
【請求項１２】
該硫酸セシウム含有溶液が、前記溶液中に可溶性の１ｗｔ％〜５０ｗｔ％硫酸セシウムを含む、請求項１に記載の方法。
【請求項１３】
該硫酸セシウム含有溶液が、該溶液中に可溶性の１ｗｔ％〜１０ｗｔ％硫酸セシウムを含む、請求項１２に記載の方法。
【請求項１４】
該硫酸セシウム含有溶液が、前記溶液中に可溶性の５ｗｔ％硫酸セシウムを含む、請求項１２に記載の方法。
【請求項１５】
前記溶液中の最初に含まれる硫酸セシウムの質量に基づいて、８ｗｔ％〜２５ｗｔ％の該水酸化セシウムが、工程ｂ）の該溶液中に形成され且つ存在する、請求項１に記載の方法。
【請求項１６】
工程ｂ）における溶液のｐＨが、室温で測定した際に１２．５〜１３．５である、請求項１に記載の方法。
【請求項１７】
前記石灰が、消石灰、水和石灰、又は、その両方である、請求項１に記載の方法。
【請求項１８】
前記石灰が酸化カルシウムである、請求項１に記載の方法。
【請求項１９】
ａ）硫酸セシウム含有溶液を石灰と反応させて、１）少なくとも水酸化セシウムを含んで成る溶液、及び、２）硫酸カルシウムを含んで成る残留物を形成させること、
ｂ）該溶液から該残留物を除去すること、並びに、
ｃ）工程ｂ）からの前記溶液にギ酸を添加して、ギ酸セシウムを形成させること
を含んで成る、ギ酸セシウムの製造法。
【請求項２０】
工程ｃ）ごとに結果として得られる該溶液を用いて、工程ａ）〜工程ｃ）を１回又は複数回繰り返すことをさらに含んで成る、請求項１９に記載の方法。
【請求項２１】
ａ）硫酸セシウム含有溶液を石灰と反応させて、１）少なくとも水酸化セシウムを含んで成る溶液、及び、２）硫酸カルシウムを含んで成る残留物を形成させること、並びに、
ｂ）該溶液から該残留物を除去すること
を含んで成る、水酸化セシウムの製造法。
【請求項２２】
前記少なくとも水酸化セシウムを含んで成る溶液が、水酸化セシウム以外にセシウム塩をさらに含んで成る、請求項１に記載の方法。
【請求項２３】
前記セシウム塩が、硫酸セシウム、ギ酸セシウム、又は、それらの組合せから選択される、請求項２２に記載の方法。
【請求項２４】
前記残留物が、水酸化マグネシウム、過剰な水酸化カルシウム、金属不純物、又は、それらの組合せをさらに含んで成る、請求項１に記載の方法。
【請求項２５】
ａ）アルカリ金属硫酸塩含有溶液を石灰と反応させて、１）少なくともアルカリ金属水酸化物を含んで成る溶液、及び、２）硫酸カルシウムを含んで成る残留物を形成させること、
ｂ）該溶液から該残留物を除去すること、並びに、
ｃ）前記溶液中のアルカリ金属水酸化物を、少なくとも１種類のアルカリ金属塩に転化させること
を含んで成る、アルカリ金属塩の製造法。
【請求項２６】
工程ｃ）ごとに結果として得られる該溶液を用いて、工程ａ）〜工程ｃ）を１回又は複数回繰り返すことをさらに含んで成る、請求項２５に記載の方法。
【請求項２７】
アルカリ金属硫酸塩が、工程ｃ）で結果として得られる前記溶液中に実質的に存在しなくなるまで、工程ａ）〜工程ｃ）を繰り返すことをさらに含んで成る、請求項２５に記載の方法。
【請求項２８】
前記転化工程が、前記溶液に少なくとも１つの酸を添加することを含んで成る、請求項２５に記載の方法。
【請求項２９】
前記酸がギ酸である、請求項２８に記載の方法。
【請求項３０】
前記酸が、酢酸、クエン酸、塩酸、臭化水素酸、ヨウ化水素酸、硝酸、酪酸、プロピオン酸、シュウ酸、及び、サリチル酸から選択される、請求項２８に記載の方法。
【請求項３１】
前記酸が、実質的にすべてのアルカリ金属水酸化物をアルカリ金属塩に転化するのに十分な量で存在する、請求項２８に記載の方法。
【請求項３２】
使用される酸の量が前記溶液を中和するのに十分である、請求項２８に記載の方法。
【請求項３３】
前記アルカリ金属硫酸塩含有溶液が０℃〜１００℃の温度である、請求項２５に記載の方法。
【請求項３４】
ａ）硫酸セシウム含有溶液を石灰と反応させて、１）少なくとも水酸化セシウムを含んで成る溶液、及び、２）硫酸カルシウムを含んで成る残留物を形成させること、
ｂ）該溶液から該残留物を除去すること、並びに、
ｃ）前記溶液中の水酸化セシウムを硫酸セシウムに転化させること
を含んで成り、工程ｃ）の前記硫酸セシウムが、工程ａ）の前記硫酸セシウムよりも高純度である、硫酸セシウムの精製法。
【請求項３５】
前記溶液中の該水酸化セシウムの硫酸セシウムへの前記転化が、前記水酸化セシウムを硫酸セシウムに転化させるのに十分な量の硫酸を添加することによって達成される、請求項３４に記載の方法。
【請求項３６】
ａ）アルカリ金属硫酸塩含有溶液を石灰と反応させて、１）少なくともアルカリ金属水酸化物を含んで成る溶液、及び、２）硫酸カルシウムを含んで成る残留物を形成させること、並びに、
ｂ）該溶液から該残留物を除去すること
を含んで成る、アルカリ金属水酸化物の製造法。
【請求項３７】
ａ）アルカリ金属硫酸塩含有溶液を石灰と反応させて、１）少なくともアルカリ金属水酸化物を含んで成る溶液、及び、２）硫酸カルシウムを含んで成る残留物を形成させること、
ｂ）該溶液から該残留物を除去すること、並びに、
ｃ）前記溶液中のアルカリ金属水酸化物をアルカリ金属硫酸塩に転化させること
を含んで成り、工程ｃ）の前記アルカリ金属硫酸塩が、工程ａ）の前記アルカリ金属硫酸塩よりも高純度である、アルカリ金属硫酸塩の精製法。
【請求項３８】
前記溶液中の該アルカリ金属水酸化物のアルカリ金属硫酸塩への前記転化が、前記アルカリ金属水酸化物をアルカリ金属硫酸塩に転化させるのに十分な量の硫酸を添加することによって達成される、請求項３７に記載の方法。
【請求項３９】
少なくとも１つの可溶性炭酸塩源を工程ｂからの該溶液に添加して、不純物を沈殿させること、及び、工程ｃを続ける前に前記不純物を除去することをさらに含んで成る、請求項１に記載の方法。
【請求項４０】
該可溶性炭酸塩源が、セシウム、ルビジウム、カリウム、ナトリウム、リチウムの炭酸塩及び／若しくは重炭酸塩、二酸化炭素、又は、それらの組合せを含んで成る、請求項３９に記載の方法。
【請求項４１】
少なくとも１つの可溶性炭酸塩源を工程ｂからの該溶液に添加して、不純物を沈殿させること、及び、工程ｃを続ける前に前記不純物を除去することをさらに含んで成る、請求項２５に記載の方法。
【請求項４２】
該可溶性炭酸塩源が、セシウム、ルビジウム、カリウム、ナトリウム、リチウムの炭酸塩及び／若しくは重炭酸塩、二酸化炭素、又は、それらの組合せを含んで成る、請求項４１に記載の方法。
【請求項４３】
少なくとも１つの可溶性炭酸塩源を工程ｂからの該溶液に添加して、不純物を沈殿させること、及び、工程ｃを続ける前に前記不純物を除去することをさらに含んで成る、請求項３４に記載の方法。
【請求項４４】
該可溶性炭酸塩源が、セシウム、ルビジウム、カリウム、ナトリウム、リチウムの炭酸塩及び／若しくは重炭酸塩、二酸化炭素、又は、それらの組合せを含んで成る、請求項４３に記載の方法。
【請求項４５】
少なくとも１つの可溶性炭酸塩源を工程ｂからの該溶液に添加して、不純物を沈殿させること、及び、工程ｃを続ける前に前記不純物を除去することをさらに含んで成る、請求項３７に記載の方法。
【請求項４６】
該可溶性炭酸塩源が、セシウム、ルビジウム、カリウム、ナトリウム、リチウムの炭酸塩及び／若しくは重炭酸塩、二酸化炭素、又は、それらの組合せを含んで成る、請求項４５に記載の方法。
【手続補正２】
【補正対象書類名】明細書
【補正対象項目名】００１３
【補正方法】変更
【補正の内容】
【００１３】
さらに、本発明は、ａ）アルカリ金属硫酸塩含有溶液を石灰と反応させて、１）少なくともアルカリ金属水酸化物を含んで成る溶液、及び、２）硫酸カルシウムを含んで成る残留物を形成させること、ｂ）該溶液から該残留物を除去すること、並びに、ｃ）該溶液中のアルカリ金属水酸化物を、少なくとも１種類のアルカリ金属塩に転化させることを含んで成る、アルカリ金属塩の製造法に関する。